(57)【要約】【課題】風呂の湯および浴槽の清潔感に保つため、湯垢、毛髪、石鹸滓などを回収し除去するとともに殺菌、減菌、防臭などを効果的に行うこと。【解決手段】本発明は、舟形あるいは魚形などの玩具のごとき形状にて、風呂の湯面の外周を移動しながら、湯垢、毛髪、石鹸滓などを取込み除去することにより、風呂の湯の清潔感を保つことに有効な機能を有する浄化装置である。浴槽の湯面との接触部に付着する湯垢、石鹸滓などを擦り取りながら湯面の外周部を進行するものとする。ペルチェ素子により温度差を電力にエネルギー変換し、これを動力源とする駆動部と、風呂湯を本体部内に取り込む取水部と、この取込んだ風呂湯と毛髪、湯垢、石鹸滓などを分離するフィルタ部を備えるものである。酸化チタン材質あるいはコーティングすることにより、装置の内部に設けられた紫外線ランプよりの紫外線と反応し光触媒の機能として浴室の空気の浄化、脱臭、抗菌の効果、および風呂湯と浴槽の浄化、脱臭、抗菌、殺菌などの効果を有効にせしめるものである。【選択図】図１
2007037931.tif 000002
【特許請求の範囲】
【請求項１】
船あるいは魚などの玩具などの外見を有し、浴槽に浮かべ、湯面の外周を回転し、湯の上層部に浮遊および浴槽に付着する毛髪、湯垢、石鹸滓などを回収し、湯との分離により風呂の湯および浴槽の浄化を行うことを特徴とする浄化装置。
【請求項２】
ペルチェ素子により湯温と水道水あるいは室温との温度差を電力にエネルギー変換し、これを動力源とする駆動部と、風呂湯を本体部内に取り込む取水部と、この取込んだ風呂湯を清潔にするため風呂湯に含まれる毛髪、湯垢、石鹸滓などを分離するフィルタ部とを備えたことを特徴とする風呂の湯の浄化装置。
【請求項３】
上記の請求項２における浄化装置は、風呂湯の上層部の温度を高温部とし、室温および水道水の水温を冷温部とし、半導体サーモモジュールにより電位差を発生させることにより熱エネルギーを電気エネルギーに変換し、モーターなどの動力源とするものであり、これにより風呂湯とともに毛髪、湯垢、石鹸滓などを取り込むこと、および効率よく取り込むため湯面の外周を回転する動力とすることを特徴とする浄化装置である。
【請求項４】
上記の請求項１および請求項２における浄化装置は、湯面の外周を廻ることにより水流を発生させ、浮遊する毛髪、湯垢、石鹸滓などを、風呂の湯面および湯面の外周部に移動させることにより、効率よく回収することを特徴とし、また湯面の外周部を廻る際には、浴槽の湯面との接触部に付着する湯垢、石鹸滓などを擦り取りながら進行することを特徴とする。
【請求項５】
上記の請求項１および請求項２における浄化装置は、毛髪、湯垢、石鹸滓などと湯との分離するためのフィルタ部を有することを特徴とし、このフィルタをプラスティック、合成樹脂などを素材とし、目に見える不純物を除去するための比較的空隙の大きいものから、そのフィルタ部の素材を不織布などの空隙の小さいもの、あるいは中空糸など極めて微細な空隙であり細菌などをも分離することを可能とするものまで、フィルタの材質、形状を変えることにより、必要に応じその分離する対象物を除去できることを特徴とする。
【請求項６】
上記の請求項１および請求項２における浄化装置は、その内部に湯の清浄効果あるいは健康衛生効果があるとされる活性炭、備長炭、竹炭、ハーブ、ミントなどを収納することができることを特徴とする。
【請求項７】
上記の請求項１および請求項２における浄化装置は、上蓋および下蓋を開け、水道水を流すことにより、分離した不純物などを容易に処分し洗浄することができることを特徴とする。
【請求項８】
上記の請求項１および請求項２における浄化装置は、材質を酸化チタンとすること、あるいは酸化チタンにてコーティングすることにより日光あるいは蛍光灯などの紫外線などと反応し光触媒の機能として浴室の空気の浄化、脱臭、抗菌の効果および風呂湯の浄化、脱臭、抗菌、殺菌などの効果を有効にせしめたことを特徴とする。
【請求項９】
上記の請求項１および請求項２における浄化装置は、浄化装置の内部にペルチェ素子を電源とする紫外線ランプを設け、これを点灯させ紫外線を照射することにより浄化装置内部に取込んだ異物の殺菌、減菌を行うことを可能とし、また浄化装置を構成する酸化チタンを紫外線照射することにより、光触媒の効果である有機物の分解除去、細菌などの殺菌および分解除去などを有効にせしめたことを特徴とする。
【発明の詳細な説明】
【技術分野】
【０００１】本発明は、浴槽の湯面に浮かべて自走する舟形、魚型などの形状の風呂不純物除去器であり、湯面に浮遊および浴槽に付着している湯垢や毛髪などの不純物を除去するとともに殺菌、減菌などの効果を有する風呂の湯および浴槽の浄化装置に関するものである。
【背景技術】
【０００２】浴湯浄化装置としては、配管にて浴湯を取込み循環させ濾過材にて分離するもので、循環を効果的にするためには装置としては大型とならざるを得ないものとなっていた。
【発明の開示】
【発明が解決しようとする課題】
【０００３】風呂の湯および浴槽の清潔感に保つため、湯垢、毛髪、石鹸滓などを回収し除去するとともに殺菌、減菌、防臭などを効果的に行うこと。
【課題を解決するための手段】
【０００４】本発明は、舟形あるいは魚形などの玩具のごとき形状にて、風呂の湯面の外周を移動しながら、湯垢、毛髪、石鹸滓などを取込み除去することにより、風呂の湯の清潔感を保つことに有効な機能を有する浄化装置である。【０００５】ペルチェ素子により温度差を電力にエネルギー変換し、これを動力源とする駆動部と、風呂湯を本体部内に取り込む取水部と、この取込んだ風呂湯を清潔にするため風呂湯に含まれる毛髪、湯垢、石鹸滓などを分離するフィルタ部とを備えるものとする。【０００６】風呂湯の装置内部への取込む取水部の構造は、水車のごとき形状にてペルチェ素子により発電した電力を動力源とするモーターにて回転することにより浴湯を取込み、これにより装置内部の水圧を高めることにより、後述の毛髪、湯垢、石鹸滓などの異物の分離を為すものである。【０００７】風呂湯の上層部の温度を高温部とし、室温および水道水の水温を冷温部とし、半導体サーモモジュールにより電位差を発生させることにより熱エネルギーを電気エネルギーに変換する。この電気エネルギーが、浄化装置の自走および風呂湯とともに毛髪、湯垢、石鹸滓などの取込むためのモーターなどの動力源の電源および紫外線ランプの電源とするものである。【０００８】浄化装置は、湯面の外周を廻ることにより水流を発生させ、風呂の湯の毛髪、湯垢、石鹸滓などを、風呂の湯面および湯面の外周部に移動させることにより、効率よく回収することを特徴とし、また湯面の外周部を廻る際には、浴槽の湯面との接触部に付着する湯垢、石鹸滓などを擦り取りながら進行するものとする。
尚、常に外周に沿って移動させるため、浄化装置の底面あるいは後尾には斜め方向のプレートを取り付けるものとする。【０００９】浄化装置は、毛髪、湯垢、石鹸滓などと湯との分離するためのフィルタ部を有することを特徴とし、フィルタ部は、プラスティック、合成樹脂などを素材とし、目に見える不純物を除去するための比較的空隙の大きいものから、素材を不織布などの空隙の小さいもの、あるいは中空糸など極めて微細な空隙であり細菌などをも分離することを可能とするものまで、様々なフィルタの材質、形状により、必要に応じその分離する対象物を除去できるものとする。【００１０】浄化装置は、その内部に湯の清浄効果あるいは健康衛生効果があるとされる活性炭、備長炭、竹炭、ハーブ、ミントなどを収納することができるものとする。【００１１】浄化装置は、上蓋および下蓋を開け、水道水を流すことにより、分離した不純物などを容易に処分し洗浄することができるものとする。【００１２】浄化装置は、材質を酸化チタンとすること、あるいは酸化チタンにてコーティングすることにより日光あるいは蛍光灯などの紫外線などと反応し光触媒の機能として浴室の空気の浄化、脱臭、抗菌の効果、および風呂湯と浴槽の内面の浄化、脱臭、抗菌、殺菌などの効果を有効にせしめるものとする。【００１３】浄化装置は、浄化装置の内部にペルチェ素子を電源とする紫外線ランプを設け、これを点灯させ紫外線を照射することにより浄化装置内部に取込んだ異物の殺菌、減菌を行うことを可能とし、また浄化装置を構成する酸化チタンを紫外線照射することにより、光触媒の効果である有機物の分解除去、細菌などの殺菌および分解除去などを有効にせしめた．
【発明の効果】
【００１４】本発明による浄化装置は、船あるいは魚などの玩具の形状であるため、それ自体で、入浴中いわゆる「癒し効果」を有するものである。【００１５】本発明による浄化装置は、風呂の湯の温度と室温との温度差を電気に変換することを動力源としており、風呂に湯を張っている状態においては常に風呂の湯面の外延を回転しながら湯面の毛髪、湯垢、石鹸滓などの汚れを回収し除去できるものとした。これにより、清潔感を維持する効果を有するものとした。【００１６】浄化装置の上蓋と底蓋を開くことができ、装置内部に取込んだ異物を洗い流すことができるため、浴室内で簡便に洗浄し、異物を廃棄することができるという効果を有する。【００１７】湯面の外周に沿って動くことにより、水流を生じさせ、風呂の湯に含まれる毛髪、湯垢、石鹸滓などの異物は、風呂の湯面の外延に移動することとなり、効率的に除去できるものとした。【００１８】また、本発明による浄化装置は、湯面の外周の沿って動く際には、装置の先端部分あるいは側面が、浴槽の内面に付着する毛髪、湯垢、石鹸滓などの異物を擦りとりながら移動するため、特に異物が付着しやすい浴槽と湯面の接触部分とその周辺を効率的に浄化する効果を有する。つまり異物がしつこくこびりつく前に掏り取ることにより容易に効果的に浄化することができるのである。【００１９】光触媒の効果である殺菌、減菌、防臭、浄水などを有効に生じさせるために、浄化装置自体に酸化チタンを素材として利用し、あるいは酸化チタンによるコーティングを施すこととする。更に光触媒効果を高めるため、本発明による浄化装置内部に紫外線ランプを設け、酸化チタンに紫外線を照射するものとする。また、装置内に取込んだ異物に対し、紫外線ランプより紫外線を照射することにより殺菌・減菌の効果を高めることが可能となった。【００２０】本装置の外面が、光触媒効果を有する酸化チタン素材であるので、これと接触する風呂の湯および浴槽の内面についても殺菌浄化および防臭などの光触媒効果を生じされることとなる。この光触媒効果は、浴室内の空気に対しても効果を生じさせるものとなる。【００２１】更に、浄化装置の内部のフィルタ部を、例えば不織布などとすることにより微細な異物を除去することができ、更に、分離膜を中空糸膜などにすることにより細菌、ウイルスなどをも除去することを有効とするものである。
【発明を実施するための最良の形態】
【００２２】本発明の具体的な実施例について説明する。
船あるいは魚などの玩具などの外見を有し、浴槽に浮かべ、湯面の外周を回転し、湯面および湯の上層部に浮遊する毛髪、湯垢、石鹸滓などを回収し、湯との分離により風呂の湯の浄化を行う機能を有する。【００２３】ペルチェ素子により温度差を電力にエネルギー変換し、これを動力源とする駆動部と、風呂湯を本体部内に取り込む取水部と、この取込んだ風呂湯を清潔にするため風呂湯に含まれる毛髪、湯垢、石鹸滓などを分離するフィルタ部とを備えるものとする。【００２４】風呂湯の上層部の温度を高温部とし、室温および水道水の水温を冷温部とし、半導体サーモモジュールにより電位差を発生させることにより熱エネルギーを電気エネルギーに変換し、モーターなどの電力源および紫外線ランプの電力源とするものである。【００２５】浄化装置は、湯面の外周を廻ることにより水流を発生させ、風呂の湯の毛髪、湯垢、石鹸滓などを、風呂の湯面および湯面の外周部に移動させることにより、効率よく回収することを特徴とし、また湯面の外周部を廻る際には、浴槽の湯面との接触部に付着する湯垢、石鹸滓などを擦り取りながら進行するものとする。これは、浴槽に湯垢などがしつこくこびりつく前に、最も付着しやすい湯面との接触部を集中的に浄化するものとなるのである。
尚、常に外周に沿って移動させるため、浄化装置の底面あるいは後尾には斜め方向のプレートを取り付けるものとする。【００２６】浄化装置は、毛髪、湯垢、石鹸滓などと湯との分離するためのフィルタ部を有することを特徴とし、フィルタ部は、プラスティック、合成樹脂などを素材とし、目に見える不純物を除去するための比較的空隙の大きいものから、素材を不織布などの空隙の小さいもの、あるいは中空糸など極めて微細な空隙であり細菌などをも分離することを可能とするものまで、フィルタの材質、形状を変えることにより、その分離する対象物を除去できるものとする。【００２７】浄化装置は、その内部に湯の清浄効果あるいは健康衛生効果があるとされる活性炭、備長炭、竹炭、ハーブ、ミントなどを収納することができるものとする。【００２８】浄化装置は、上蓋および下蓋を開け、水道水を流すことにより、分離した不純物などを容易に処分し洗浄することができるものとする。【００２９】浄化装置は、材質を酸化チタンとすること、あるいは酸化チタンにてコーティングすることにより日光あるいは蛍光灯などの紫外線などと反応し光触媒の機能として浴室の空気の浄化、脱臭、抗菌の効果、および風呂湯と浴槽の内面の浄化、脱臭、抗菌、殺菌などの効果を有効にせしめるものとする。【００３０】浄化装置は、浄化装置の内部にペルチェ素子を電源とする紫外線ランプを設け、これを点灯させ紫外線を照射することにより浄化装置内部に取込んだ異物の殺菌、減菌を行うことを可能とし、また浄化装置を構成する酸化チタンを紫外線照射することにより、光触媒の効果である有機物の分解除去、細菌などの殺菌および分解除去などを有効にせしめた．
【産業上の利用可能性】
【００３１】湯面に浮遊する毛髪、湯垢、石鹸滓などを取り除き、同時に浴槽内面に付着する湯垢などを取り除き、尚且つ紫外線による殺菌効果、光触媒による浄水、殺菌、脱臭などの効果をコンパクトな装置で有効なものとするものである。
【図面の簡単な説明】
【００３２】
【図１】本発明による風呂の湯および浴槽の浄化装置の構成チャートである。
【図１】
2007037931.tif 000003